(57)【要約】【課題】軽量化しても、ケーブルドラムを安定的に支持することができるケーブルジャッキを提供すること。【解決手段】本発明は、上方に開口する筒状の内部空間を有する本体部と、下方側が前記内部空間に収容されて当該内部空間に沿って上下動する押上棒と、前記押上棒の上部に設けられたヘッドローラー支持部と、前記ヘッドローラー支持部に軸支された一対のヘッドローラーと、前記一対のヘッドローラーの更に上方であって当該一対のヘッドローラーと対向するガード領域に配置可能な飛び出しガード部材と、前記飛び出しガード部材を前記ガード領域に係止する係止機構と、を備えたことを特徴とするケーブルジャッキである。【選択図】図１
2018188293.tif 000002
【特許請求の範囲】
【請求項１】
上方に開口する筒状の内部空間を有する本体部と、
下方側が前記内部空間に収容されて当該内部空間に沿って上下動する押上棒と、
前記押上棒の上部に設けられたヘッドローラー支持部と、
前記ヘッドローラー支持部に軸支された一対のヘッドローラーと、
前記一対のヘッドローラーの更に上方であって当該一対のヘッドローラーと対向するガード領域に配置可能な飛び出しガード部材と、
前記飛び出しガード部材を前記ガード領域に係止する係止機構と、
を備えたことを特徴とするケーブルジャッキ。
【請求項２】
前記本体部には、折り畳み式の三脚が接続されている
ことを特徴とする請求項１に記載のケーブルジャッキ。
【請求項３】
一方のヘッドローラの軸線よりも上方かつ外方に、当該一方のヘッドローラと平行な方向に延びる第１回動案内ピンが設けられており、
他方のヘッドローラの軸線よりも上方かつ外方に、当該他方のヘッドローラと平行な方向に延びる第２回動案内ピンが設けられており、
前記飛び出しガード部材は、
前記第１回動案内ピンに当接しながら当該飛び出しガード部材の当該第１回動案内ピン回りの回動を許容して当該飛び出しガード部材を前記第２回動案内ピンに対して近接ないし離間させる第１回動凹部と、
当該飛び出しガード部材が前記第１回動案内ピン回りに回動して前記第２回動案内ピンに対して近接した時に当該第２回動案内ピンに当接する当接面と、
前記第２回動案内ピンに当接しながら当該飛び出しガード部材の当該第２回動案内ピン回りの回動を許容する第２回動凹部と、
前記第２回動案内ピンを前記当接面から前記第２回動凹部まで案内する第２案内部と、
前記第２回動案内ピンが前記当接面から前記第２回動凹部まで案内される際に、前記第１回動案内ピンを前記第１回動凹部から方向切換部まで案内する第１案内部と、
当該飛び出しガード部材が前記第２回動案内ピン回りに回動する際に、前記第１回動案内ピンを前記方向切換部から係止凹部まで案内する係止案内部と、
を有し、
前記係止機構は、前記第１案内部と前記方向切換部と前記係止案内部と前記係止凹部及び前記第１回動案内ピン、並びに、前記第２案内部と前記第２回動凹部及び前記第２回動案内ピン、によって構成されている
ことを特徴とする請求項１または２に記載のケーブルジャッキ。
【請求項４】
前記第１案内部と前記係止案内部とは、互いに略垂直な案内通路である
ことを特徴とする請求項３に記載のケーブルジャッキ。
【請求項５】
前記飛び出しガード部材は、前記第１回動案内ピンから引き抜き可能であるように、前記第１回動凹部から外側輪郭に至る引き抜き用通路を有している
ことを特徴とする請求項３または４に記載のケーブルジャッキ。
【発明の詳細な説明】
【技術分野】
【０００１】
本発明は、ケーブルドラムのようなドラムの中心孔に通した棒を回転可能に支持することができるケーブルジャッキに関する。
【背景技術】
【０００２】
ケーブルドラムは、ケーブルが巻き回される円筒部と、当該円筒部の左右両端に設けられた大径フランジ部と、を有している（いわゆる「糸巻き」のような形状を有している）。
【０００３】
そして、円筒部の中心孔に棒が通されて、当該棒を回転可能に支持することによって、棒とケーブルドラムとを共に回転可能に支持することができる。
【０００４】
例えば、特許文献１に開示されたケーブルジャッキでは、三脚で支持されたパイプに押上棒が螺合され、押上棒上端に二股部材が固定され、押上棒上部にラチェットギヤが固定されている。二股部材には、平行な一対のヘッドローラーが共に回動可能に設けられていて、ドラムの中心孔に通した棒を回転可能に支持できるようになっている。また、ラチェットギヤをラチェットハンドルで操作することにより、押上棒の高さを任意に調整できるようになっている。ケーブルジャッキは、通常、ケーブルドラム（棒）の両側にそれぞれ設置される。
【先行技術文献】
【特許文献】
【０００５】
【特許文献１】実開平５−４４９９６
【発明の概要】
【発明が解決しようとする課題】
【０００６】
一般に、ケーブルドラムは、重量がかなり大きい。このため、ケーブルジャッキは、ケーブルドラムを支持している際、安定していることが求められる。そのため、パイプを支持する三脚の下端は、共通の底板に結合されていることが一般的である。そして、底板がある程度の重量を有することにより、ケーブルジャッキの安定度が高められている。
【０００７】
一方で、持ち運びを容易にするためには、ケーブルジャッキの重量を低減することが望ましい。本件発明者は、このような観点から、ケーブルジャッキの軽量化の実現に向けて鋭意の検討を重ねてきた。
【０００８】
ケーブルジャッキを軽量化すると、持ち運びは容易となるが、例えば地震発生時等にケーブルジャッキが振動する程度が大きくなり、場合によっては支持していたケーブルドラムが離脱してしまう懸念がある。ケーブルジャッキの軽量化を実現するためには、この問題に対処する必要がある。
【０００９】
本発明は、以上の知見に基づいて創案されたものである。本発明の目的は、持ち運びが容易である一方で、ケーブルドラムを安定的に支持することができるケーブルジャッキを提供することである。
【課題を解決するための手段】
【００１０】
本発明は、上方に開口する筒状の内部空間を有する本体部と、下方側が前記内部空間に収容されて当該内部空間に沿って上下動する押上棒と、前記押上棒の上部に設けられたヘッドローラー支持部と、前記ヘッドローラー支持部に軸支された一対のヘッドローラーと、前記一対のヘッドローラーの更に上方であって当該一対のヘッドローラーと対向するガード領域に配置可能な飛び出しガード部材と、前記飛び出しガード部材を前記ガード領域に係止する係止機構と、を備えたことを特徴とするケーブルジャッキである。
【００１１】
本発明によれば、飛び出しガード部材がガード領域に配置可能であることにより、ケーブルドラムの飛び出し（離脱）を効果的に防止することができる。特に、係止機構によって飛び出しガード部材がガード領域に係止されることにより、ケーブルドラムの飛び出し（離脱）防止効果を確実なものとすることができる。従って、ケーブルジャッキを軽量化しても、ケーブルドラムが離脱してしまう可能性を顕著に軽減できる。
【００１２】
本発明では、本体部に折り畳み式の三脚が接続されていることが好ましい。この場合、三脚を広げることでケーブルジャッキの本体部を安定的に支持できる一方、三脚を折り畳むことで持ち運びを容易にすることができる。
【００１３】
また、好ましくは、一方のヘッドローラの軸線よりも上方かつ外方に、当該一方のヘッドローラと平行な方向に延びる第１回動案内ピンが設けられており、他方のヘッドローラの軸線よりも上方かつ外方に、当該他方のヘッドローラと平行な方向に延びる第２回動案内ピンが設けられており、前記飛び出しガード部材は、前記第１回動案内ピンに当接しながら当該飛び出しガード部材の当該第１回動案内ピン回りの回動を許容して当該飛び出しガード部材を前記第２回動案内ピンに対して近接ないし離間させる第１回動凹部と、当該飛び出しガード部材が前記第１回動案内ピン回りに回動して前記第２回動案内ピンに対して近接した時に当該第２回動案内ピンに当接する当接面と、前記第２回動案内ピンに当接しながら当該飛び出しガード部材の当該第２回動案内ピン回りの回動を許容する第２回動凹部と、前記第２回動案内ピンを前記当接面から前記第２回動凹部まで案内する第２案内部と、前記第２回動案内ピンが前記当接面から前記第２回動凹部まで案内される際に、前記第１回動案内ピンを前記第１回動凹部から方向切換部まで案内する第１案内部と、当該飛び出しガード部材が前記第２回動案内ピン回りに回動する際に、前記第１回動案内ピンを前記方向切換部から係止凹部まで案内する係止案内部と、を有し、前記係止機構は、前記第１案内部と前記方向切換部と前記係止案内部と前記係止凹部及び前記第１回動案内ピン、並びに、前記第２案内部と前記第２回動凹部及び前記第２回動案内ピン、によって構成されている。
【００１４】
このような構成が採用される場合、極めて簡易な構成でありながら、ケーブルドラムの飛び出し（離脱）を効果的に防止することができる。特に、係止機構の係止作業及び係止解除作業が簡単でありながら、係止機構が不所望に外れてしまうことを効果的に防止することができる。
【００１５】
この場合、更に好ましくは、前記第１案内部と前記係止案内部とは、互いに略垂直な案内通路である。このような位置関係が採用される場合、係止機構が不所望に外れてしまうことをより一層効果的に防止することができる。
【００１６】
また、前記飛び出しガード部材は、前記第１回動案内ピンから引き抜き可能であるように、前記第１回動凹部から外側輪郭に至る引き抜き用通路を有していることが好ましい。この場合、飛び出しガード部材をケーブルジャッキから完全に引き抜くことができるため、、ケーブルドラムの載置作業をより一層簡単に行うことができる。
【発明の効果】
【００１７】
本発明によれば、飛び出しガード部材がガード領域に配置可能であることにより、ケーブルドラムの飛び出し（離脱）を効果的に防止することができる。特に、係止機構によって飛び出しガード部材がガード領域に係止されることにより、ケーブルドラムの飛び出し（離脱）防止効果を確実なものとすることができる。従って、ケーブルジャッキを軽量化しても、ケーブルドラムが離脱してしまう可能性を顕著に軽減できる。
【図面の簡単な説明】
【００１８】
【図１】本発明の一実施形態に係るケーブルジャッキの概略図である。
【図２】図１のケーブルジャッキの使用状態例を示す概略側面図である。
【図３】図１のケーブルジャッキの係止機構を説明する概略図である。
【図４】図１のケーブルジャッキを折り畳んだ状態を示す概略正面図である。
【図５】図１のケーブルジャッキの飛び出しガード部材の引き抜きについて説明する概略図である。
【図６】本発明の他の実施形態に係るケーブルジャッキの概略図である。
【発明を実施するための形態】
【００１９】
以下、図面を参照して本発明の一実施形態について説明する。  
【００２０】
図１は、本発明の一実施形態に係るケーブルジャッキ１０の概略図であり、図１（ａ）が概略正面図、図１（ｂ）が概略側面図、図１（ｃ）が概略平面図である。図２は、図１のケーブルジャッキ１０の使用状態例を示す概略側面図であり、図３は、図１のケーブルジャッキ１０の係止機構を説明する概略図であり、図４は、図１のケーブルジャッキ１０を折り畳んだ状態を示す概略正面図である。
【００２１】
図１乃至図４に示すように、本実施形態のケーブルジャッキ１０は、上方に開口する筒状の内部空間を有する本体部１１を備えており、押上棒１２の下方部が、本体部１１の当該内部空間に収容されていて、当該内部空間に沿って上下動するようになっている。
【００２２】
押上棒１２の上端部には、ヘッドローラー支持部として、一対のヘッドローラー支持板１３が設けられている。そして、当該一対のヘッドローラー支持板１３によって、互いに平行な一対のヘッドローラ１４が回動可能に軸支されている。そして、これらのヘッドローラ１４が、ケーブルドラム５０の中心孔に通した棒５１を回転可能に支持できるようになっている（特に図２及び図３参照）。
【００２３】
本体部１１の側面には、折り畳み式の三脚２１が略等方的に接続されている（特に図１（ｃ）参照）。また、本体部１１の側面には、持ち運びを容易にするためのハンドル２２が設けられている。更に、本体部１１の側面には、ケーブルドラム５０の大径フランジ部５２の回転を案内する側部ローラー２３が設けられている。また、セットネジ２４は、本体部１１を貫通して内部空間内の押上棒１２の移動範囲を制限できるようになっており、押上棒１２の本体部１１からの落下を防止できるようになっている。
【００２４】
また、本体部１１の上端には、調整ハンドル２５が設けられている。本実施形態では、押上棒１２が貫通する調整ハンドル２５の貫通孔部に雌ネジが形成されており、押上棒１２の外周面に雄ネジが形成されていて、両者が螺合している。そして、調整ハンドル２５を上方から見て時計回りに回動する際に、押上棒１２が本体部１１の上方へと伸長してくようになっており、逆に、調整ハンドル２５を上方から見て反時計回りに回動する際、押上棒１２が本体部１１に収容されていくようになっている。
【００２５】
そして、本実施形態では、一対のヘッドローラー１４の更に上方であって当該一対のヘッドローラー１４と対向するガード領域に、略半円弧状の飛び出しガード部材３０が設けられている。もっとも、飛び出しガード部材３０は、ケーブルドラム５０の中心孔に通した棒５１を一対のヘッドローラー１４上に載置する際には、後述するようにガード領域から待避できるようになっている。
【００２６】
図３（ａ）乃至図３（ｄ）に示すように、本実施形態においては、一方のヘッドローラ１４ａの軸線よりも上方かつ外方に、一対のヘッドローラ１４ａ、１４ｂと平行な方向に延びる第１回動案内ピン４１が設けられている。これと対称に、他方のヘッドローラ１４ｂの軸線よりも上方かつ外方に、一対のヘッドローラ１４ａ、１４ｂと平行な方向に延びる第２回動案内ピン４２が設けられている。第１回動案内ピン４１及び第２回動案内ピン４２は、それぞれ、一対のヘッドローラー支持板１３の間に延在している。
【００２７】
そして、飛び出しガード部材３０は、第１回動案内ピン４１に当接しながら当該飛び出しガード部材３０の当該第１回動案内ピン４１回りの回動を許容して当該飛び出しガード部材３０を第２回動案内ピン４２に対して近接ないし離間させる第１回動凹部３１と、飛び出しガード部材３０が第１回動案内ピン４１回りに回動して第２回動案内ピン４２に対して近接した時に当該第２回動案内ピン４２に当接する当接面３２と、を有している。
【００２８】
また、飛び出しガード部材３０は、第２回動案内ピン４１に当接しながら飛び出しガード部材３０の第２回動案内ピン４２回りの回動を許容する第２回動凹部３４と、第２回動案内ピン４２を当接面３２から第２回動凹部３４まで案内する第２案内部３３と、を有している。
【００２９】
さらに、飛び出しガード部材３０は、第２回動案内ピン４２が当接面３２から第２回動凹部３４まで案内される際に、第１回動案内ピン４１を第１回動凹部３１から方向切換部３６まで案内する第１案内部３５と、当該飛び出しガード部材３０が第２回動案内ピン４２回りに回動する際に、第１回動案内ピン４１を方向切換部３６から係止凹部３８まで案内する係止案内部３７と、を有している。ここで、第１案内部３５と係止案内部３７とは、互いに略垂直な方向に延びる第１回動案内ピン４１用の案内通路である。
【００３０】
以上のような構成では、係止機構が、第１案内部３５と方向切換部３６と係止案内部３７と係止凹部３８及び第１回動案内ピン４１並びに第２案内部３３と第２回動凹部３４及び第２回動案内ピン４２によって構成されていると言える。
【００３１】
次に、図３（ａ）乃至図３（ｄ）を参照して、本実施形態のケーブルジャッキ１０の係止機構の動作を説明する。
【００３２】
図３（ａ）に示すように、第１回動凹部３１が第１回動案内ピン４１に当接しながら当該第１回動案内ピン４１回りに回動されることで、飛び出しガード部材３０のガイド領域への配置（図３（ｄ）参照）ないしガイド領域からの待避が実現される。
【００３３】
図３（ｂ）に示すように、飛び出しガード部材３０の第１回動案内ピン４１回りの回動により、飛び出しガード部材３０は第２回動案内ピン４２に対して近接する。そして、飛び出しガード部材３０の当接面３２が第２回動案内ピン４２に当接する。
【００３４】
その後、飛び出しガード部材３０を横方向にずらすことにより、第２回動案内ピン４２が当接面３２から第２案内部３３を介して第２回動凹部３４まで案内され、同時に、第１回動案内ピン４１が第１回動凹部３１から第１案内部３５を介して方向切換部３６まで案内され、図３（ｃ）の状態となる。
【００３５】
そして、飛び出しガード部材３０を自然落下させれば、飛び出しガード部材３０は第２回動案内ピン４２回りに回動して、第１回動案内ピン４１が方向切換部３６から係止凹部３８まで案内され、図３（ｄ）の状態となる。以上の操作により、飛び出しガード部材３０のガイド領域への係止が完了する。
【００３６】
飛び出しガード部材３０のガイド領域からの係止解除は、前述と逆の操作を行えばよい。すなわち、まず、図３（ｄ）の状態から飛び出しガード部材３０を持ち上げて、図３（ｃ）の状態とする。そして、飛び出しガード部材３０を横方向にずらし、第２回動案内ピン４２を第２回動凹部３４から離脱させる（図３（ｂ））と共に、第１回動案内ピン４１を第１回動凹部３１に当接させる。そして、第１回動凹部３１が第１回動案内ピン４１回りに回動されることで、飛び出しガード部材３０がガイド領域から待避される。
【００３７】
また、本実施形態の飛び出しガード部材３０は、第１回動案内ピン４１から引き抜き可能であるように、図５に示すように、第１回動凹部３１から外側輪郭に至る引き抜き用通路３９を有している。この場合、飛び出しガード部材３０をケーブルジャッキから完全に離脱させる（引き抜く）ことができるため、ヘッドローラー１４上へのケーブルドラムの載置作業をより一層簡単に行うことができる。
【００３８】
以上のような本実施形態のケーブルジャッキ１０によれば、折り畳み式の三脚２１を採用したことにより、図４に示すように折り畳み式の三脚２１を折り畳むことで持ち運びが容易である。一方で、飛び出しガード部材３０がガード領域に配置可能であることにより、ケーブルドラムの飛び出し（離脱）を効果的に防止することができる。特に、係止機構によって飛び出しガード部材３０がガード領域に係止されることにより、ケーブルドラムの飛び出し（離脱）防止効果を確実なものとすることができる。
【００３９】
特に、本実施形態では、係止機構が第１案内部３５と方向切換部３６と係止案内部３７と係止凹部３８及び第１回動案内ピン４１並びに第２案内部３３と第２回動凹部３４及び第２回動案内ピン４２によって構成されていることにより、係止機構の係止作業及び係止解除作業が簡単でありながら、係止機構が不所望に外れてしまうことを効果的に防止することができる。
【００４０】
さらに、本実施形態では、第１案内部３５と係止案内部３７とが互いに略垂直な案内通路であるため、係止機構が不所望に外れてしまうことをより一層効果的に防止することができる。
【００４１】
次に、図６は、本発明の他の実施形態に係るケーブルジャッキ１１０の概略図であり、図４に対応する図である。本実施形態のケーブルジャッキ１１０では、ハンドル２２を把持してケーブルジャッキ１１０を持ち運ぶ際、セットネジ２４の装着不良時等に押上棒１２が本体部１１から落下してしまうことを防止するべく、ヘッドローラー支持板１３の下部に設けたフック部１３ｆと本体部１１の下部の側面に設けられた突出部１１ｐとにコイルバネ１１５の両端が接続されている。
【００４２】
本実施形態の他の構成は、前述の実施形態と同様であるため、同様の符号を付して説明を省略する。
【００４３】
ハンドル２２を把持してケーブルジャッキを持ち運ぶ際、例えばセットネジ２４の装着が不良であると、押上棒１２が本体部１１の内部空間に対して不所望に摺動してしまって、押上棒１２（ヘッドローラー支持板１３、ヘッドローラー１４等を含む）が本体部１１から落下してしまう虞がある。しかしながら、本実施形態によれば、そのような場合であっても、押上棒１２の本体部１１からの落下をコイルバネ１１５が抑止する。
【符号の説明】
【００４４】
１０  ケーブルジャッキ
１１  本体部
１２  押上棒
１３  ヘッドローラー支持板
１４  ヘッドローラー
１４ａ  一方のヘッドローラー
１４ｂ  他方のヘッドローラー
２１  三脚（折り畳み式）
２２  ハンドル
２３  側部ローラー
２４  セットネジ
２５  調整ハンドル
３０  飛び出しガード部材
３１  第１回動凹部
３２  当接面
３３  第２案内部
３４  第２回動凹部
３５  第１案内部
３６  方向切換部
３７  係止案内部
３８  係止凹部
３９  引き抜き通路
４１  第１回動案内ピン
４２  第２回動案内ピン
５０  ケーブルドラム
５１  棒
５２  大径フランジ部
１１０  ケーブルジャッキ
１１５  コイルバネ
【図１】
2018188293.tif 000003
【図２】
2018188293.tif 000004
【図３】
2018188293.tif 000005
【図４】
2018188293.tif 000006
【図５】
2018188293.tif 000007
【図６】
2018188293.tif 000008